(57)【特許請求の範囲】
【請求項１】
照明装置であって、
照明灯を有し、取付面に取り付けられる照明装置本体と、
前記照明装置本体の端部に収納されかつ外方に引き出し可能に設けられた配線カバーとを備え、
前記照明装置本体の前記取付面への取付時には、前記照明装置本体から延びかつ前記取付面に露出した配線を、前記配線カバーを引き出すことで覆うようになっている、
ことを特徴とする照明装置。
【請求項２】
請求項１において、
前記照明灯がＬＥＤ素子から構成されている、
ことを特徴とする照明装置。
【請求項３】
請求項１において、
前記照明装置本体が長手方向に延びており、前記配線カバーが前記照明装置本体の長手方向の少なくとも一端に設けられている、
ことを特徴とする照明装置。
【請求項４】
請求項１において、
前記配線カバーが前記照明装置本体にスライド自在に設けられている、
ことを特徴とする照明装置。
【請求項５】
請求項１において、
前記照明装置本体の側方には、前記配線カバーの先端が挿入される開口部を複数個有し、前記開口部に挿入された前記配線カバーの前記先端から延びる配線を覆うとともに、前記配線カバーを分岐するカバー分岐ユニットがさらに設けられている、
ことを特徴とする照明装置。
【請求項６】
請求項５において、
前記カバー分岐ユニットには、前記開口部に挿入された前記配線カバーの前記先端に係脱自在に係止し得る係止部が設けられている、
ことを特徴とする照明装置。
【発明の詳細な説明】
【技術分野】
【０００１】
本発明は、照明灯の配線作業を簡略化できるようにした照明装置に関する。
【背景技術】
【０００２】
照明装置として、例えば発光ダイオード（ＬＥＤ）を用いた照明装置が種々提案されている。一般に、発光ダイオードは、蛍光灯に比べて、消費電力が低く、長寿命であるため、照明装置として最近注目されている。
【発明の概要】
【発明が解決しようとする課題】
【０００３】
例えば特開２００９−９９３６３号公報には、複数のＬＥＤ照明ユニットを近接配置したものが提案されている。この場合には、各ＬＥＤ照明ユニットの一端にオスコネクタが、他端にメスコネクタがそれぞれ設けられており、隣り合う各ＬＥＤ照明ユニット間で一方のオスコネクタを他方のメスコネクタにそれぞれ連結することにより、各ＬＥＤ照明ユニットが長さ方向またはこれと直交する幅方向に複数個連結されるようになっている。このように、各照明ユニットを近接配置したレイアウトでは、各照明ユニット間の配線作業の問題は生じない。
【０００４】
ところが、本願の図１７に示すように、複数の照明ユニット１００を離隔配置したレイアウトの場合、外部電源および各照明ユニット１００の間、ならびに各照明ユニット１００間を接続する配線１０１が必要になる。この場合に、同図に示すように、配線１０１が天井側に露出しないように、すべての配線１０１を天井裏で行おうとすると、配線作業が非常に煩雑であった。その一方、配線１０１を天井側に露出させた場合には、配線１０１を隠すためのカバーを別途設ける必要があるが、このとき、露出する配線１０１の長さに応じて、また離間された照明ユニット１００間の間隔に応じて、カバーを切断する必要があり、同様に、配線作業が非常に煩雑であった。
【０００５】
本発明は、このような従来の実情に鑑みてなされたものであり、本発明が解決しようとする課題は、照明灯、とくに離隔配置された照明灯の配線作業を簡略化できる照明装置を提供しようとしている。
【課題を解決するための手段】
【０００６】
請求項１の発明に係る照明装置は、照明灯を有し、取付面に取り付けられる照明装置本体と、照明装置本体の端部に収納されかつ外方に引き出し可能に設けられた配線カバーとを備えている。照明装置本体の取付面への取付時には、照明装置本体から延びかつ取付面に露出した配線を、配線カバーを引き出すことで覆うようになっている。
【０００７】
請求項１の発明によれば、照明装置本体の端部に引き出し可能な配線カバーが設けられているので、すべての配線が室内に露出しないように配線する必要がなくなるばかりでなく、露出する配線の長さに応じて配線カバーの引出長さを適宜調節するだけでよくなって、配線カバーの切断作業が不要になり、これにより、配線作業を簡略化できる。さらに、複数の照明装置本体が離隔配置される場合でも、離間された照明装置本体間の間隔に応じて、配線カバーの引出長さを適宜調節すればよいので、同様に配線作業を簡略化できる。
【０００８】
請求項２の発明では、請求項１において、照明灯がＬＥＤ（発光ダイオード）素子から構成されている。
【０００９】
請求項３の発明では、請求項１において、照明装置本体が長手方向に延びており、配線カバーが照明装置本体の長手方向の少なくとも一端に設けられている。
【００１０】
この場合には、照明装置本体の長手方向に延びる配線を配線カバーにより確実に隠すことができる。
【００１１】
請求項４の発明では、請求項１において、配線カバーが照明装置本体にスライド自在に設けられている。
【００１２】
この場合には、配線カバーの長さを調節する際には、配線カバーを照明装置本体の外側に向かってスライドさせることにより、照明装置本体の端部からの配線カバーの突出長さを変えるようにすればよい。
【００１３】
請求項５の発明では、請求項１において、照明装置本体の側方には、配線カバーの先端が挿入される開口部を複数個有し、開口部に挿入された配線カバーの先端から延びる配線を覆うとともに、配線カバーを分岐するカバー分岐ユニットがさらに設けられている。
【００１４】
請求項５の発明によれば、離隔配置された複数の照明装置本体の各配線カバーの先端をカバー分岐ユニットの各開口部に挿入することにより、各照明装置本体の配線が配線カバーおよびカバー分岐ユニットにより覆われることになる。このとき、分岐ユニットを用いることにより、各配線カバーの配設方向を任意の方向に分岐させることができるようになる。また、分岐ユニットを用いることで、各照明装置本体の各配線カバーの配設方向を同じ方向にして各配線カバーを一直線上に長く配設することもできる。このようにして、各照明装置を様々なレイアウト、例えば格子状やハニカム状等に配設できるようになる。
【００１５】
請求項６の発明では、請求項５において、カバー分岐ユニットには、開口部に挿入された配線カバーの先端に係脱自在に係止し得る係止部が設けられている。
【００１６】
この場合には、配線カバーの先端をカバー分岐ユニッの開口部に挿入した後、カバー分岐ユニットの係止部を配線カバーの先端に係止させる。これにより、配線カバーの先端をカバー分岐ユニットの開口部に確実に連結でき、配線カバーの抜け落ちを防止できる。
【発明の効果】
【００１７】
以上のように、本発明に係る照明装置によれば、照明装置本体の端部に引出長さを調節可能な配線カバーを設けるようにしたので、すべての配線が室内に露出しないように配線する必要がなくなるばかりでなく、露出する配線の長さに応じて配線カバーの引出長さを適宜調節するだけでよくなって、配線カバーの切断作業が不要になり、これにより、配線作業を簡略化できる。さらに、複数の照明装置本体が離隔配置される場合でも、離間された照明装置本体間の間隔に応じて、配線カバーの引出長さを適宜調節すればよいので、同様に配線作業を簡略化できる。
【図面の簡単な説明】
【００１８】
【図１】本発明の一実施例によるＬＥＤ照明装置の分解組立図である。
【図２】ＬＥＤ照明装置（図１）を構成するベースフレームの全体斜視図である。
【図３】ＬＥＤ照明装置（図１）を構成するＬＥＤ照明灯の全体斜視図である。
【図４】ＬＥＤ照明灯（図３）の発光面側の正面図である。
【図５】図４のV-V線矢視図（つまりＬＥＤ照明灯の側面図）である。
【図６】図４のVI-VI線断面図である。
【図７】（ａ）ないし（ｃ）はＬＥＤ照明装置（図１）において配線カバーがスライドする様子を説明するための図である。
【図８】各ＬＥＤ照明装置（図１）の配線カバーの先端がカバー分岐ユニットに連結された状態を示す斜視図である。
【図９】ＬＥＤ照明装置（図１）の配線カバーの先端が連結されるカバー分岐ユニットを下方から見た分解組立図である。
【図１０】ＬＥＤ照明装置（図１）の配線カバーの先端が連結されるカバー分岐ユニットを上方から見た分解組立図である。
【図１１】本実施例によるＬＥＤ照明装置の配線作業を説明するための図である。
【図１２】本実施例によるＬＥＤ照明装置の配線作業を説明するための図である。
【図１３】本実施例によるＬＥＤ照明装置の配線作業を説明するための図である。
【図１４】本実施例によるＬＥＤ照明装置の配線作業を説明するための図である。
【図１５】本実施例によるＬＥＤ照明装置の配線作業を説明するための図である。
【図１６】多数のＬＥＤ照明装置（図１）がカバー連結部を介して格子状（碁盤目状）に連結された状態を示す図である。
【図１７】離隔配置された従来の照明ユニットの配線を説明するための図である。
【発明を実施するための形態】
【００１９】
以下、本発明の実施例を添付図面に基づいて説明する。
図１の分解組立図に示すように、本発明の一実施例によるＬＥＤ（発光ダイオード）照明装置１は、複数のＬＥＤ素子２ＡからなるＬＥＤ照明灯２と、各ＬＥＤ素子２Ａに電源電流を供給するための電源ユニット３０を有し、ＬＥＤ照明灯２を天井や壁等の取付面に取り付けるためのベースフレーム３と、ＬＥＤ照明灯２の端部にスライド自在に収容された配線カバー４と、ＬＥＤ照明灯２の発光面を覆う透光性カバー５とを備えている。ＬＥＤ照明灯２およびベースフレーム３から照明装置本体１０が構成されている。なお、図１では、紙面の関係上、ＬＥＤ照明灯２の一方の端部の側の配線カバー４のみが示されており、他方の端部の側の配線カバーは省略されている。
【００２０】
ベースフレーム３は、図２に示すように、天井や壁等の取付面に据え付けられる長手方向に延びるベースプレート３１と、ベースプレート３１の長手方向の端部に設けられ、外部電源からの電源線を含む配線を通すための開孔３２ａが形成されたサイドプレート３２とを備えている。電源ユニット３０は、ベースプレート３１の例えば長手方向中央部に取り付けられている。外部電源から開孔３２ａを通った配線３５（図５参照）は、ベースプレート３１の長手方向に沿って配設されるとともに、電源ユニット３０に対してコネクタ等を介して電気的に接続されるようになっている。配線３５は、外部電源からの電源線の他、アース線を含んでいてもよく、さらに、ＬＥＤ照明灯２が調光制御可能である場合には調光信号線を含んでいてもよい。
【００２１】
ＬＥＤ照明灯２を構成する複数のＬＥＤ素子２Ａは、図３に示すように、直線状に延びる基台２０の長手方向に沿って所定間隔を隔てて配列されている。基台２０には、上下方向に延びる複数の貫通孔２０ａが形成されており、基台２０は、これらの貫通孔２０ａを下方から挿通するネジ６（図１、図４）により、ベースフレーム３に取り付けられるようになっている。
【００２２】
図４のそれぞれV-V線矢視図およびVI-VI線断面図である図５および図６に示すように、ＬＥＤ照明灯２の基台２０の幅方向（各図左右方向）両端縁部には、上方および幅方向内側に延設されるとともに基台２０の長手方向（各図紙面垂直方向）に沿って延びる延設部２１が設けられている。延設部２１は、基台２０の長手方向に延びる係止溝２１ａを有している。
【００２３】
その一方、ＬＥＤ照明灯２の長手方向の各端部には、それぞれ配線カバー４Ａ、４Ｂが設けられている（図４参照）。配線カバー４Ａ、４Ｂは、図５および図６に示すように、基台２０に沿って長手方向に延びるとともに、外部電源から延びる電源線を含む配線３５を覆う平板状のカバー本体部４０と、カバー本体部４０の幅方向両端縁部において上方および幅方向内外方に屈曲しつつ延びる係止部４１とをそれぞれ有している。各係止部４１は、基台２０の延設部２１の各係止溝２１ａに長手方向スライド自在に係止している。なお、図６では、図示の便宜上、ハッチングを省略している。
【００２４】
この構成により、ＬＥＤ照明装置１は、図７（ａ）〜（ｃ）に示すように、各配線カバー４Ａ、４ＢがＬＥＤ照明灯２の基台２０に収納された収納位置（同図（ａ）参照）と、各配線カバー４Ａ、４ＢがＬＥＤ照明灯２の基台２０から外方に張り出した張出位置（同図（ｂ）、（ｃ）参照）とをとり得るようになっている。なお、各配線カバー４Ａ、４Ｂの張出長さは、ＬＥＤ照明灯２の基台２０から露出する配線の長さに応じて、また間隔を隔てて隣り合う各ＬＥＤ照明灯２の間隔（ピッチ）に応じて、適宜調整されるようになっている。
【００２５】
また、ＬＥＤ照明装置１が取り付けられる天井面や壁面等の取付面には、図８に示すように、ＬＥＤ照明灯２の配線カバー４の先端が連結されるととともに、配線カバー４を任意の方向に分岐するためのカバー分岐ユニット７が設けられていてもよい。カバー分岐ユニット７は、ＬＥＤ照明灯２の側方に配置される。
【００２６】
カバー分岐ユニット７は、図９および図１０に示すように、ＬＥＤ照明装置１の取付面に据え付けられ、配線カバー４が連結される平面視略矩形状のベース部７０と、ベース部７０を下方から覆う底面視略矩形状のカバー部７１とを有している。
【００２７】
ベース部７０の外周を形成する４つの辺の各端部には、配線カバー４の各係止部４１がスライド自在に係止し得る一対の係止溝７０ａがそれぞれ設けられている。また、ベース部７０の各角部には、カバー部７１の各角部に設けられた被係止部（例えば係止孔）７１ａに係脱自在に係止し得る係止部（例えば係止突起部）７０ｂが設けられている。なお、ベース部７０の中央には、貫通孔７０ｃが形成されていてもよい。
【００２８】
カバー部７１の外周を形成する４つの辺には、配線カバー４の先端の挿入を許容する開口部７１ｂがそれぞれ形成されている。開口部７１ｂは、カバー部７１の隣り合う各角部の間に形成されている。また、カバー部７１の各辺の略中央には、上方に突出するピン（係止部）７１ｃが植設されている。一方、配線カバー４の先端中央には、カバー部７１のピン７１ｃが係脱自在に係合するピン孔４２が形成されている。
【００２９】
次に、本実施例によるＬＥＤ照明装置１の配線作業について図１１ないし図１６を用いて時系列的に説明する。ここでは、多数のＬＥＤ照明装置１が天井面の縦方向および横方向に格子状に配列される場合を例にとる。
【００３０】
図１１は、天井面の一部に据え付けられたカバー分岐ユニット７のベース部７０に向かって４本のＬＥＤ照明装置１が放射状にかつ９０度間隔で離間配置された状態を示している。また、同図には、左側のＬＥＤ照明装置１から上側のＬＥＤ照明装置１に向かって、また上側のＬＥＤ照明装置１から右側のＬＥＤ照明装置１に配線３５がなされた状態が併せて示されている。
【００３１】
各配線３５はいずれも、一方のＬＥＤ照明装置１からベース部７０の略中央部を通って他方のＬＥＤ照明装置１に配設されている。また、下側のＬＥＤ照明装置１については、図示しない他のＬＥＤ照明装置からの配線が接続されている。なお、配線の仕方は、図１１に示されたものには限定されず、種々のものが考えられる。さらに、ベース部７０中央の貫通孔７０ｃ（図９、図１０）を用いて、外部電源からの配線を天井面側に導入したり、各ＬＥＤ照明装置１の配線を天井裏に導いたりするようにしてもよい。
【００３２】
次に、図１２に示すように、各ＬＥＤ照明装置１から配線カバー４を引き出す方向にスライドさせる。すると、引き出された各配線カバー４は、ベース部７０に向かって延びる。そして、図１３に示すように、各配線カバー４の先端がベース部７０に到達すると、各配線カバー４の先端をベース部７０の対応する各係止溝７０ａに係止させる。これにより、各ＬＥＤ照明装置１とベース部７０との間の配線３５が配線カバー４によって覆われる。なお、このとき、各配線カバー４の先端から延びた配線３５は、ベース部７０内に露出している。
【００３３】
次に、図１４に示すように、ベース部７０の下方からカバー部７１を装着する。このとき、カバー部７１の各角部の係止孔７１ａにベース部７０の対応する各角部の係止突起部７０ｂが係合する。これにより、ベース部７０内に露出していた配線３５が隠される。また、このとき、カバー部７１のピン７１ｃが、対応する配線カバー４の先端のピン孔４２に係合する。これにより、各配線カバー４の先端が、カバー部７１の開口部７１ｂ内に挿入されて連結されることになる。
【００３４】
このようにして、図１５に示すように、各ＬＥＤ照明装置１から延びていた配線３５が各配線カバー４およびカバー分岐ユニット７によってすべて覆われることになる。この場合、もしカバー分岐ユニット７がなければ、各配線カバー４の交差部分の配線の処理が困難であるが、カバー分岐ユニット７を用いることで、各ＬＥＤ照明装置１からの配線３５の向きがどのような向きに変えられる場合でも、すべての配線３５を外部に露出させることなく覆うことが可能になる。別の言い方をすれば、分岐ユニット７を用いることにより、各配線カバー４の配設方向を任意の方向に分岐させることができるようになる。
【００３５】
図１６には、上述のようなカバー連結を、天井面を覆う多数のＬＥＤ照明装置１に適用した例を示している。この場合、多数のＬＥＤ照明装置１が天井面の縦方向および横方向に格子状（つまり碁盤目状）に配設されている。
【００３６】
このような本実施例によれば、ＬＥＤ照明灯２の端部にスライド自在な配線カバー４を設けるようにしたので、すべての配線３５が室内に露出しないように配線する必要がなくなるばかりでなく、露出する配線３５の長さに応じて配線カバー４の長さを適宜調節するだけでよくなって、配線カバー３５の切断作業が不要になり、これにより、配線作業を簡略化できる。さらに、複数のＬＥＤ照明灯２が離隔配置される場合でも、離間されたＬＥＤ照明灯２間の間隔に応じて、配線カバー４の長さを適宜調節すればよいので、同様に配線作業を簡略化できる。
【００３７】
また、カバー分岐ユニット７を設けるとともに、離隔配置された複数のＬＥＤ照明装置１の各配線カバー４の先端をカバー分岐ユニット７の各開口部７１ｂに連結することにより、各ＬＥＤ照明装置１の配線３５を配線カバー４およびカバー分岐ユニット７により覆うことができ、さらに、この場合、分岐ユニットを用いることで、各配線カバー４の配設方向を任意の方向に分岐させることができるようになって、各ＬＥＤ照明装置１を様々なレイアウトに配設できるようになる。
【００３８】
〔他の実施例１〕
前記実施例では、ベースフレーム３に電源ユニット３０を設け、外部電源から電源ユニット３０への配線を配線カバー４により覆うようにした例を示したが、本発明の適用はこれに限定されない。電源ユニットを照明装置の外部に設置して、この外部電源ユニットからＬＥＤ照明灯２への配線を配線カバー４により覆うようにしてもよい。また、ＬＥＤ照明灯を直接電灯線に接続する場合には、電源ユニットは不要となり、この場合、配線カバーで電灯線を覆うようにすればよい。
【００３９】
〔他の実施例２〕
前記実施例では、複数のＬＥＤ素子２ＡからＬＥＤ照明灯２が構成された例を示したが、ＬＥＤ照明灯２は単一のＬＥＤ素子２Ａから構成するようにしてもよい。
【００４０】
〔他の実施例３〕
前記実施例では、ＬＥＤ照明灯２の両端にそれぞれ配線カバー４Ａ、４Ｂが設けられた例を示したが、配線カバーは、ＬＥＤ照明灯２のいずれか一方の端部にのみ設けるようにしてもよい。
【００４１】
〔他の実施例４〕
前記実施例では、配線カバー４がＬＥＤ照明灯２の端部にスライド自在に設けられた例を示したが、本発明の適用はこれには限定されない。配線カバーは、伸縮自在な蛇腹形状を有していてもよく、あるいは、大きさが段階的に異なる複数の配線カバーを互いに入れ子式（つまりロッドアンテナや望遠鏡のようなテレスコピック式）にしてスライド自在に設けることにより、全体の長さを調節できるようにしてもよい。
【００４２】
〔他の実施例５〕
前記実施例では、ＬＥＤ照明装置１が天井面の縦方向および横方向に格子状（つまり碁盤目状）に配設された例を示したが、本発明の適用は、これに限定されるものではなく、ＬＥＤ照明装置１を天井面の縦方向のみまたは横方向のみに格子状（つまり縦格子状または横格子状）に配設したものや、縦格子状および横格子状を一部に組み合わせたもの（碁盤目状でないもの）にも同様に適用できる。これらの場合は、各カバー分岐ユニット７において４つの開口部７１ｂのすべてを使用せずに、一部の開口部７１ｂのみを使用して、これに配線カバー４を連結する使い方になる。
【００４３】
〔他の実施例６〕
前記実施例では、カバー分岐ユニット７として、４つの開口部７１ｂが形成された底面視略矩形状のものを例にとって説明したが、開口部の数はこれに限定されるものではなく、例えば３つの開口部が形成された底面視三角形状のカバー分岐ユニットを用いるようにしてもよい。この場合、多数のＬＥＤ照明灯を天井面にハニカム状に配列できるようになる。さらに、２つまたは５つ以上の開口部を有するものでもよい。
【００４４】
〔他の実施例７〕
前記実施例では、ＬＥＤ照明装置１がカバー分岐ユニット７を介して格子状に連結された例を示したが、本発明は、カバー分岐ユニット７を用いないものにも適用可能である。この場合、例えば、長手方向に隣り合う各ＬＥＤ照明装置１において、一方のＬＥＤ照明装置１に配線カバー４を装着するとともに、他方のＬＥＤ照明装置１の配線カバー４を外した状態にしておき、この状態から、一方のＬＥＤ照明装置１の配線カバー４を引き出すとともに、その先端を他方のＬＥＤ照明装置１の内部まで引き込んで基台２０の延設部２１の各係止溝２１ａに係止させるようにすればよい。
【００４５】
〔他の実施例８〕
前記実施例では、ＬＥＤ照明灯２として、長手方向に延びる細長いものを例にとって説明したが、本発明の適用はこれには限定されない。ＬＥＤ照明灯としては、ＬＥＤ素子を例えば円弧状、環状または矩形状等に配列した円弧形状、円形または四角形状等のものであってもよい。
【００４６】
〔他の実施例９〕
前記実施例では、ＬＥＤ照明装置１が天井面に設けられた例を示したが、本発明によるＬＥＤ照明装置は壁面に適用することも可能である。
【００４７】
〔他の適用例〕
前記実施例では、ＬＥＤ素子からなるＬＥＤ照明装置を例にとって説明したが、本発明は、その他の発光素子からなる照明装置にも同様に適用可能である。
【産業上の利用可能性】
【００４８】
本発明は、一般の照明に用いられる照明装置に好適であり、とくに、長手方向に延びる照明装置本体を有するものに適している。
【符号の説明】
【００４９】
１：  ＬＥＤ照明装置
１０：  照明装置本体
２：  ＬＥＤ照明灯
２Ａ：  ＬＥＤ素子
４、４Ａ、４Ｂ：  配線カバー
７：  カバー分岐ユニット
７１ｂ：  開口部
７１ｃ：  ピン（係止部）
【先行技術文献】
【特許文献】
【００５０】
【特許文献１】特開２００９−９９３６３号公報（図６、図１２参照）
【図１】
0005542489.tif 000002
【図２】
0005542489.tif 000003
【図３】
0005542489.tif 000004
【図４】
0005542489.tif 000005
【図５】
0005542489.tif 000006
【図６】
0005542489.tif 000007
【図７】
0005542489.tif 000008
【図８】
0005542489.tif 000009
【図９】
0005542489.tif 000010
【図１０】
0005542489.tif 000011
【図１１】
0005542489.tif 000012
【図１２】
0005542489.tif 000013
【図１３】
0005542489.tif 000014
【図１４】
0005542489.tif 000015
【図１５】
0005542489.tif 000016
【図１６】
0005542489.tif 000017
【図１７】
0005542489.tif 000018